(57)【要約】      （修正有）【課題】磁力線を変化させる方式のイレーザーを組み込んだ磁性ペンを提供する。【解決手段】利用者によって把持される軸体１と、該軸体１の一方端部に配置された筆記用磁石２と、前記軸体１の内部に回転可能に配置された消去用磁石と、該消去用磁石を回転させるために、前記軸体１の内部に配置されたモーターと、該モーターに電流を供給するために、前記軸体１の内部に配置された電源と、を備え、該電源は、前記消去用磁石及び前記モーターに比べ、前記筆記用磁石側に配置されたことを特徴とする。【選択図】図１
2019171584.tif 000002
【特許請求の範囲】
【請求項１】
利用者によって把持される軸体と、
該軸体の一方端部に配置された筆記用磁石と、
前記軸体の内部に回転可能に配置された消去用磁石と、
該消去用磁石を回転させるために、前記軸体の内部に配置されたモーターと、
該モーターに電流を供給するために、前記軸体の内部に配置された電源と、を備え、該電源は、前記消去用磁石及び前記モーターに比べ、前記筆記用磁石側に配置されたことを特徴とする磁性ペン
【請求項２】
前記軸体の内部に、前記消去用磁石の外周の一部を覆うシールド部材を配置した請求項１に記載の磁性ペン。
【請求項３】
前記軸体の内部には、前記筆記用磁石側から前記電源、前記モーター、前記消去用磁石の順に配置した請求項２に記載の磁性ペン。
【発明の詳細な説明】
【技術分野】
【０００１】
本発明は、マイクロカプセル磁気泳動表示シートを含む磁気表示パネルの表示面に文字を記載する磁性ペンに関する。
【背景技術】
【０００２】
従来からマイクロカプセル磁気泳動表示シートを含む磁気表示パネルの表示面に文字を記載する磁性ペン及び文字を消去するイレーザーは知られている。例えば、特許文献１には、イレーザー機能を有した磁性ペンが開示されている。この磁性ペンの軸体の両端部に文字を記載するための磁石が備えられている。また、磁性ペンの側面に文字を消去するためのイレーザー機能を果たす消去用磁石が備えられている。
【０００３】
また、例えば、特許文献２には、磁気表示パネルの表示面に記載された文字を表示面側から消去できるイレーザーが開示されている。このイレーザーは、筐体内部にモーターと磁石とを備え、磁石を回転可能にして磁力線を変化させることで、磁気表示パネルのマイクロカプセル内の黒色磁性粒子を大きく泳動させることができる。
【先行技術文献】
【特許文献】
【０００４】
【特許文献１】特開２０１１−０５１０９９号公報
【特許文献２】特許第６２１３８８６号公報
【発明の概要】
【発明が解決しようとする課題】
【０００５】
磁気表示パネルの表示面に記載された文字をきれいに消去するには、特許文献１のイレーザー機能に比べて、特許文献２のイレーザーのように磁力線を変化させる方式の方が望ましい。しかしながら、磁力線を変化させるためにモーター及び電源を磁性ペンに組み込むと、重量が重くなり、利用者が筆記しづらい問題があった。
【０００６】
本発明は、磁力線を変化させる方式のイレーザーを組み込み、利用者が筆記し易い磁性ペンを提供する事を目的とする。
【課題を解決するための手段】
【０００７】
上記目的を達成するために、請求項１に記載の発明に係る磁性ペンは、利用者によって把持される軸体と、該軸体の一方端部に配置された筆記用磁石と、前記軸体の内部に回転可能に配置された消去用磁石と、該消去用磁石を回転させるために、前記軸体の内部に配置されたモーターと、該モーターに電流を供給するために、前記軸体の内部に配置された電源と、を備え、前記電源は、前記消去用磁石及び前記モーターに比べ、前記筆記用磁石側に配置される。
【０００８】
請求項２に記載の発明に係る磁性ペンにおいて、前記軸体の内部に、前記消去用磁石の外周の一部を覆うシールド部材を配置する。
【０００９】
請求項３に記載の発明に係る磁性ペンにおいて、前記軸体の内部には、前記筆記用磁石側から前記電源、前記モーター、前記消去用磁石の順に配置する。
【発明の効果】
【００１０】
本発明によれば、軸体は、利用者によって把持される。筆記用磁石は、該軸体の一方端部に配置される。消去用磁石は、前記軸体の内部に回転可能に配置される。モーターは、該消去用磁石を回転させるために、前記軸体の内部に配置される。電源は、該モーターに電流を供給するために、前記軸体の内部に配置される。該電源は、前記消去用磁石及び前記モーターに比べ、前記筆記用磁石側に配置される。この結果、磁力線を変化させるためにモーター及び電源を磁性ペンに組み込んでも、利用者が磁性ペンを手に持ったときに、重心位置が磁性ペンの下側になることで利用者が筆記し易くなる。
【図面の簡単な説明】
【００１１】
【図１】本発明の実施形態に係る磁性ペンの全体形状図である。
【図２】本実施形態に係る磁性ペンの図１のＡ−Ａ断面図である。
【図３】本実施形態に係る磁性ペンの図１のＢ−Ｂ断面図である。
【図４】本実施形態に係る磁性ペンの使用形態を示す図である。
【発明を実施するための形態】
【００１２】
［実施形態］
本発明の実施形態に係る磁性ペンについて、図面を参照して説明する。磁性ペンを説明するために、図１に示す矢印Ｙの上方向を「上」及び下方向を「下」と、矢印Ｘの左方向を「左」及び右方向を「右」と、表現して説明する。
【００１３】
図１に示すように、磁性ペンは、軸体１と筆記用磁石２とスイッチ３とキャップ４とを備える。軸体１は、利用者が文字等を書く際に、手で持つ部分であり、筆記用磁石２は、磁気表示パネルの表示面に当接する部分である。スイッチ３は、押しボタンであり、利用者が押しボタンを押し続ける事で、後述のプラス電極１３のスイッチがＯＮになる。また、利用者が押しボタンを押すのを止める事で、後述のプラス電極１３のスイッチがＯＦＦになる。キャップ４は、軸体１の内部に配置された後述の部材が、軸体１から抜け出さないようにするための部材である。
【００１４】
図２は、図１のＡ−Ａ断面図であり、図２を用いて、磁性ペンを詳細に説明する。
【００１５】
磁性ペンは、軸体１と、電源１１と、マイナス電極１２と、プラス電極１３と、配線１４と、モーター１５と、マグネットケース１６と、第１消去用磁石１６１と、第２消去用磁石１６２と、第３消去用磁石１６３と、第４消去用磁石１６４と、シールド部材１７と、回転軸１８と、筆記用磁石２と、保護用バネ２１、スイッチ３と、キャップ４と、を備える。
【００１６】
軸体１は、プラスチック等の非磁性材料である材質から形成され、左側端部から右側端部に至るまで内部に空隙が形成された円筒形状を有する。また、スイッチ３が配置される位置に、貫通孔が軸体の外側表面から内側表面まで形成されている。軸体１の左側端部近辺は、左側端部に向かうに従い、軸体の外径の長さが徐々に小さくなるように形成されている。
【００１７】
電源１１は、乾電池又はバッテリーであり、軸体１の内部であって左側の位置に配置される。
【００１８】
マイナス電極１２は、電極を構成するバネと、バネを設置するための台座と、を備える。マイナス電極１２は、軸体１の内部であって電源１１の左隣の位置に配置され、電源１１のマイナス電極にバネの一方が接触するように配置される。また、バネの他方は、後述の配線１４のうちマイナス側の配線に接続されている。マイナス電極１２は、台座が軸体１内部に係合され、軸体１に対して固定される。
【００１９】
プラス電極１３は、電極を構成する端子と、スイッチ基板と、端子を設置するための台座と、を備える。プラス電極１３は、軸体１の内部であって電源１１の右隣の位置に配置され、電源１１のプラス電極に端子の一方が接触するように配置される。また、端子の他方は、スイッチ基板の一方に接続されている。スイッチ基板は、端子から入力された電源１１の電流を、スイッチ３を押したときに導通状態に、スイッチ３を押すのをやめたときに、非導通状態にする。スイッチ基板の他方は、後述の配線１４のうちプラス側の配線に接続されている。プラス電極１３は、台座が軸体１内部に係合され、軸体１に対して固定される。
【００２０】
配線１４は、マイナス電極１２及びプラス電極１３と、後述のモーター１５の電極と、を電気的に接続するために軸体１の内部であって、プラス電極１３とモーター１５との間の位置に配置される。配線１４は、プラス側電極同士と、マイナス側電極同士と、のそれぞれを電気接続するための２つの銅線と、銅線の周りに絶縁のための被覆とを備える。
【００２１】
モーター１５は、軸体１の内部であって、配線１４の右隣の位置に配置される。モーター１５は、軸体１の軸線を中心にして回転するロータと、ロータに接続されたシャフトと、ロータの外周を取り囲むように配置された磁石と、電極と、を備える。モーター１５は、一般的にＤＣモーターと呼ばれるモーターであるが、これに限られない。
【００２２】
マグネットケース１６は、軸体１の内部であって、モーター１５の右隣の位置に配置される。マグネットケース１６は、プラスチック等の非磁性材料である材質から形成され、左側端部から右側端部に至るまで、消去用磁石を配置するため複数の空隙が形成されている。この空隙の形状は、消去用磁石の形状と同一形状である。マグネットケース１６の左側端部の端面には、凹部が形成されており、モーター１５のシャフトの端部一部が凹部に圧入されている。これにより、モーター１５の回転がマグネットケース１６に伝達され、マグネットケース１６がモーター１５と同じ回転速度で回転を行う。また、マグネットケース１６の右側端部の端面には、凹部が形成されており、後述の回転軸１８の軸部材が凹部に圧入されている。
【００２３】
第１消去用磁石１６１、第２消去用磁石１６２、第３消去用磁石１６３、第４消去用磁石１６４は、円柱形状を有する磁石である。第１消去用磁石１６１、第２消去用磁石１６２、第３消去用磁石１６３、第４消去用磁石１６４は、いずれも、図３に示す第３消去用磁石１６３のように、断面のうち一方の半円がN極、他方の半円がＳ極となるように磁化されている。
【００２４】
シールド部材１７は、軸体１の内部であって、マグネットケース１６の外周を、マグネットケース１６の一部を覆うように配置される。シールド部材１７は、鉄、ヨーク、フェライトコア等の透磁率の高い材質で形成される。これにより、マグネットケース１６から外周方向に向かって発生した磁力線のうち、シールド部材１７で覆われている部分は、磁力線が遮断される。図３を用いて具体的に説明すると、マグネットケース１６の中心軸に対して２４０度の範囲にシールド部材１７が一定の間隔を空けて備えられている。これにより、シールド部材１７に覆われていない、中心軸のなす角度１２０度が開放されており、その開放された領域でのみ磁力線が外部へ生じるようになる。
【００２５】
回転軸１８は、軸体１の内部であって、マグネットケース１６の右隣の位置に配置される。回転軸１８は、回転可能な軸部材と、軸部材を回転可能に取付ける台座と、を備える。軸部材は、ステンレスなどの金属等の材質から形成されている。台座は、プラスチック等の非磁性材料である材質から形成される。回転軸１８は、台座が軸体１内部に係合され、軸体１に対して固定される。
【００２６】
筆記用磁石２は、円柱形状を有する磁石である。筆記用磁石２の周りには、ヨークが備えられる。
【００２７】
保護用バネ２１は、金属等の材質から形成されている。保護用バネ２１は、筆記用磁石２とマイナス電極１２との間に配置される。保護用バネ２１は、利用者の筆圧が大きい場合に、磁気表示パネル表面を傷付けないように筆圧に応じて伸び縮するための部材である。
【００２８】
スイッチ３はボタンと、ボタンに固定された芯と、バネと、を備える。ボタンと芯とは、プラスチック等の非磁性材料である材質から形成される。バネは、金属等の材質から形成されている。芯は、軸体１の貫通孔に配置され、芯の先端端面は、スイッチ基板の一部を形成する。バネは、軸体１の貫通孔の段部に配置される。バネがある事により、ボタンを上方向に押し戻す力が働いており、利用者がスイッチのボタンを下方向に押さない限りは、スイッチ基板は非導通状態を維持する。
【００２９】
キャップ４は、プラスチック等の非磁性材料である材質から形成され、軸体１の右側端部の空隙を覆い被さるように配置される。
【００３０】
＜本実施形態の動作＞
次に、本実施形態の動作について、図２を用いて説明する。利用者がスイッチ３のボタンを指で押すと、プラス電極１３のスイッチ基板が導通状態となる。これにより、電源１１からの電流がモーター１５に供給され、モーター１５が回転する。またモーター１５の回転に伴って、マグネットケース１６も回転する。第１消去用磁石１６１、第２消去用磁石１６２、第３消去用磁石１６３、及び第４消去用磁石１６４の回転により、シールド部材１７で覆われていない部分から外部へ生じた磁力線がＮ極、Ｓ極、Ｎ極と交互に切り替わる。
【００３１】
利用者がスイッチ３のボタンを押すのを止めると、プラス電極１３のスイッチ基板が非導通状態となり、モーター１５へ供給していた電流を遮断させる。
【００３２】
＜本実施形態の使用形態＞
次に、本実施形態の使用形態について、図４を用いて説明する。本使用形態は、磁気表示パネルの表示面に記載された文字を消去するときの使用形態である。  
【００３３】
利用者が磁気表示パネルの表示面に記載された文字を消去したい場合、スイッチ３のボタンを指で押し続けた状態で、シールド部材１７で覆われていない部分を表示面側にして、磁性ペンを表示面に対して上下方向に摺動させる。これにより、磁性ペンに対面する磁気表示パネルの表示面に記載された文字を消去できる。
【００３４】
利用者が磁気表示パネルに記載された文字の消去を止めたい場合、スイッチ３のボタンの押すのを止め、磁気表示パネルの表示面に対して磁性ペンの摺動を止める。
【００３５】
＜本実施形態の効果＞
本実施形態によれば、軸体１の内部のうち、モーター１５、マグネットケース１６に比べて一番重量の重い電源１１が、筆記用磁石２側に配置されている。これにより、利用者が軸体１を握った時に、磁性ペンの重心が筆記用磁石２側となり低重心になり、筆記し易くなる。
【００３６】
本実施形態によれば、軸体１の内部のうち、筆記用磁石２側から電源１１、モーター１５、マグネットケース１６の順番で配置させている。これにより、電源１１とモーター１５との配線１４の引き回しを短くできるため、材料費を削減する事ができる。
【００３７】
本発明の実施形態について以上説明したが、本発明の趣旨を逸脱しない範囲において、当業者であれば種々の変更を加える事ができる。
【００３８】
（変形例１）
本実施形態において、筆記用磁石２は、円柱形状の磁石である。筆記用磁石２の周りにヨークを備える。この実施形態に代えて、筆記用磁石２の周りは、非磁性体のホルダーを備え、磁石の破損を防止しても良い。
【００３９】
本実施形態において、第１消去用磁石１６１、第２消去用磁石１６２、第３消去用磁石１６３、第４消去用磁石１６４は、円柱形状の磁石である。この実施形態に代えて、三角柱、四角柱などの正多角柱の形状、球形状であっても良い。
【００４０】
本実施形態において、磁石の断面のうち一方の半円がN極、他方の半円がＳ極となるように磁化されている。この実施形態に代えて、断面を４分割された各扇形状のうち対角線上に配置された一対の扇形状がＮ極、他方の一対の扇形状がＳ極に磁化されていても良い。
【符号の説明】
【００４１】
１・・・軸体、１１・・・電源、１２、マイナス電極、１３、プラス電極、１４・・・配線、１５・・・モーター、１６・・・マグネットケース、１６１・・・第１消去用磁石、１６２・・・第２消去用磁石、１６３・・・第３消去用磁石、１６４・・・第４消去用磁石、１７・・・シールド部材、１８・・・回転軸、２・・・筆記用磁石、２１・・・保護用バネ、３・・・スイッチ、４・・・キャップ
【図１】
2019171584.tif 000003
【図２】
2019171584.tif 000004
【図３】
2019171584.tif 000005
【図４】
2019171584.tif 000006